【手続補正書】
【提出日】平成23年11月11日(2011.11.11)
【手続補正１】
【補正対象書類名】明細書
【補正対象項目名】００２３
【補正方法】変更
【補正の内容】
【００２３】
更なる態様は、マルチキャリア受信機内で第一サブキャリアの第一ＳＮＲを決定する手段であって、第二サブキャリアの第二ＳＮＲを測定または決定する手段と、少なくとも前記第二ＳＮＲを用いて第一ＳＮＲを決定する手段とを含む方法に関する。
【手続補正２】
【補正対象書類名】明細書
【補正対象項目名】００２４
【補正方法】変更
【補正の内容】
【００２４】
本発明の更なる態様は、マルチキャリア受信機内で第一サブキャリアの第一ＳＮＲを決定する手段であって、第二サブキャリアの雑音レベルを測定または決定する手段と、少なくとも前記雑音レベルを用いて第一ＳＮＲを決定する手段とを含む手段に関する。
【手続補正３】
【補正対象書類名】明細書
【補正対象項目名】００２５
【補正方法】変更
【補正の内容】
【００２５】
本発明の更なる態様は、マルチキャリア送受信機であって、マルチキャリア受信機内で第一サブキャリアの第一ＳＮＲを決定でき、かつ第二サブキャリアの第二ＳＮＲを測定または決定でき、かつ少なくとも前記第二ＳＮＲを用いて前記第一ＳＮＲを決定できるマルチキャリア送受信機に関する。
【手続補正４】
【補正対象書類名】明細書
【補正対象項目名】００６８
【補正方法】変更
【補正の内容】
【００６８】
数値例 ＃３
以下のサブキャリアインデックス：２０、２１、２２、２３、２４、２５、２６、２７、２８、２９、３０で動作するマルチキャリアシステムを仮定する。Ｎ＝１０によるＬＰＭであって、ＬＰＭのときに送信されるサブキャリアがインデックス２０および３０を持つサブキャリアであると仮定する。サブキャリア２０の雑音レベル測定値が−５５ｄＢｍ／Ｈｚ ｄＢで、サブキャリア３０では−６５ｄＢｍ／Ｈｚ ｄＢであると仮定する。受信信号電力レベルは−８０ｄＢｍ／Ｈｚで平坦であると仮定する。例えば、単純な線形補間法を用いて中間サブキャリアの雑音を推定する場合、サブキャリア２１、２２、２３、２４、２５、２６、２７、２８および２９の推定雑音はそれぞれ、−５６ｄＢｍ／Ｈｚ、−５７ｄＢｍ／Ｈｚ、−５８ｄＢｍ／Ｈｚ、−５９ｄＢｍ／Ｈｚ、−６０ｄＢｍ／Ｈｚ、−６１ｄＢｍ／Ｈｚ、−６２ｄＢｍ／Ｈｚ、−６３ｄＢｍ／Ｈｚ、−６４ｄＢｍ／Ｈｚとなる。−８０ｄＢｍ／Ｈｚの受信信号電力レベルに基づくこの雑音推定を用いると、サブキャリア２１、２２、２３、２４、４６、２６、２７、２８および２９の推定ＳＮＲはそれぞれ、２４ｄＢ、２３ｄＢ、２２ｄＢ、２１ｄＢ、２０ｄＢ、１９ｄＢ、１８ｄＢ、１７ｄＢおよび１６ｄＢとなる。
【手続補正５】
【補正対象書類名】明細書
【補正対象項目名】００７４
【補正方法】変更
【補正の内容】
【００７４】
他の実施形態では、ＬＰＭのときに使用されるサブキャリアは固定されずに全時間にわたって変化する。この例示の実施形態は、サブキャリアスイープＬＰＭと呼ばれる。本実施形態では、サブキャリアの第一サブセットはＬＰＭのときの第一周期で使用され、サブキャリアの第二サブセットは第二周期の間に使用される。例えば、ＬＰＭのとき１〜１００にインデックスされる１００のサブキャリアがある場合、サブキャリア１〜１０は、第一周期で使用され（例えば、１秒または１０００ＤＭＴシンボル）、サブキャリア１１〜２１は、第二周期で使用される（例えば、１秒または１０００ＤＭＴシンボル）等である。よって、１０周期の後、１００のサブキャリア全てがＬＰＭのときに送出されたことになる。本方法の主な利点の一つは、１０周期の間にＳＮＲまたは雑音レベルを測定する受信機が、中間サブキャリアの推定または補間技術を必要とせずに、全てのサブキャリアのＳＮＲを（上記のように）決定できるということである。
【手続補正６】
【補正対象書類名】特許請求の範囲
【補正対象項目名】全文
【補正方法】変更
【補正の内容】
【特許請求の範囲】
【請求項１】
通信システムであって、
第一送受信機と、
前記第一送受信機に接続されて動作する第二送受信機とを備え、
低電力モードの間は、全電力モードで送信されるサブキャリアのサブセットだけが送信され、前記キャリアのサブセットは、前記全電力モードのときと同一の電力レベルで送信される通信システム。
【請求項２】
低電力モードを有する通信システムであって、
第一送受信機と、
複数のサブキャリア上で、かつ第一電力レベルで前記第一送受信機に接続されて動作し、通信する第二送受信機とを備え、
前記低電力モードの間は、前記複数のサブキャリアのサブセットが前記第一電力レベルで送信される通信システム。
【請求項３】
前記サブセットは、前記全電力モードで使用されるＮ番目毎のサブキャリアと定義され、Ｎは正の整数である請求項１のシステム。
【請求項４】
前記サブセットは、前記第一電力レベルで使用されるＮ番目毎のサブキャリアと定義され、Ｎは正の整数である請求項２のシステム。
【請求項５】
低電力モードを構成するマルチキャリア受信機内のシステムであって、前記低電力モードで使用するための全電力モードの間に使用される前記サブキャリアのサブセットを定義するサブキャリア管理モジュールを備え、前記サブセットは、前記全電力モードで使用されるＮ番目毎のサブキャリアと定義され、Ｎは正の整数であるシステム。
【請求項６】
一つ以上のｘＤＳＬ送受信機を構成するために使用される管理インターフェースにＮの値が入力される請求項５のシステム。
【請求項７】
前記入力がサービスプロバイダにより実行される請求項６のシステム。
【請求項８】
低電力モードで複数のサブキャリアを送信できるマルチキャリア送受信機であって、前記低電力モード法は、全電力モードで送信されるサブキャリアのサブセットを前記低電力モード中に送信することを含み、前記低電力モードで送信する前記サブキャリアは、前記全電力モードで送信される電力レベルと同一の電力レベルで送信されるマルチキャリア送受信機。
【請求項９】
複数のサブキャリアを送信できるマルチキャリア送受信機であって、全電力モードで送信されるサブキャリアのサブセットを低電力モード中に送信できる送信機部を備え、前記低電力モードで送信されるサブキャリアは、前記全電力モードで送信される電力レベルと同一の電力レベルで送信されるマルチキャリア送受信機。
【請求項１０】
複数のサブキャリアを送信できるマルチキャリア送受信機であって、全電力モードで送信されるサブキャリアのサブセットを低電力モード中に送信する手段を備え、前記低電力モードで送信されるサブキャリアは、前記全電力モードで送信される電力レベルと同一の電力レベルで送信されるマルチキャリア送受信機。
【請求項１１】
前記サブセットが前記全電力モードで使用されるＮ番目毎のサブキャリアと定義され、Ｎは正の整数である請求項８〜１０のいずれか一つのマルチキャリア送受信機。
【請求項１２】
全電力モードで送信されるサブキャリアのサブセットを用いることにより、電力節減を達成するマルチキャリア通信で使用するための低電力モードであって、前記低電力モードで送信される前記サブキャリアのサブセットは、前記全電力モードと同一の電力レベルで送信される低電力モード。
【請求項１３】
前記サブセットが前記全電力モードで使用されるＮ番目毎のサブキャリアと定義され、Ｎは正の整数である請求項１２の低電力モード。
【請求項１４】
前記サブセットは前記全電力モードで送信される前記サブキャリアの内のいずれか二つ以上と定義される請求項１２の低電力モード。
【請求項１５】
全電力モードで送信されるサブキャリアのサブセットを用いて電力節減を達成するマルチキャリア通信で使用するための低電力モードであって、前記低電力モードで送信される前記サブキャリアのサブセットが前記全電力モードのときと同一電力レベルで送信される低電力モード。
【請求項１６】
前記サブセットは、前記全電力モードで使用されるＮ番目毎のサブキャリアと定義され、Ｎは正の整数である請求項１５の低電力モード。
【請求項１７】
通信システム。